(57)【要約】【課題】  画像形成装置等の情報処理装置を利用するユーザ等のグループを設定するための手法を提案すること。【解決手段】  ユーザ情報をユーザ情報管理項目の項目値として管理するユーザ情報管理サーバのクライアントとなる情報処理装置であって、あるユーザがグループに属するか否かが、前記ユーザ情報管理サーバに管理されているそのユーザのユーザ情報が所定のユーザ情報管理項目に所定の項目値が格納されているか否かに係る条件をクリアするか否か、で規定されるようなグループを当該情報処理装置内に設定するためのグループ設定画面を提供するグループ設定画面提供手段を備えることを特徴とする情報処理装置。【選択図】  図２２
2005266946.tif 000002
【特許請求の範囲】
【請求項１】
ユーザ情報をユーザ情報管理項目の項目値として管理するユーザ情報管理サーバのクライアントとなる情報処理装置であって、
あるユーザがグループに属するか否かが、前記ユーザ情報管理サーバに管理されているそのユーザのユーザ情報が所定のユーザ情報管理項目に所定の項目値が格納されているか否かに係る条件をクリアするか否か、で規定されるようなグループを当該情報処理装置内に設定するためのグループ設定画面を提供するグループ設定画面提供手段を備えることを特徴とする情報処理装置。
【請求項２】
当該情報処理装置を利用するユーザの認証を前記ユーザ情報管理サーバに実行させる旨の設定を当該情報処理装置内に設定するための認証設定画面を提供する認証設定画面提供手段を備えることを特徴とする請求項１に記載の情報処理装置。
【請求項３】
当該情報処理装置を利用するユーザの利用制限の設定を前記グループ毎に当該情報処理装置内に設定するための利用制限設定画面を提供する利用制限設定画面提供手段を備えることを特徴とする請求項１又は２に記載の情報処理装置。
【請求項４】
前記グループ設定画面提供手段は、前記グループ設定画面として、前記条件の設定操作を文字入力操作で行うようなグループ設定画面を提供することを特徴とする請求項１乃至３のいずれか１項に記載の情報処理装置。
【請求項５】
前記グループ設定画面提供手段は、前記グループ設定画面として、前記条件の設定操作をユーザ情報管理項目の選択操作と項目値の選択操作とで行うようなグループ設定画面を提供することを特徴とする請求項１乃至３のいずれか１項に記載の情報処理装置。
【請求項６】
前記グループ設定画面提供手段は、前記グループ設定画面として、前記条件の設定操作をユーザ情報管理項目の選択操作と項目値の選択操作とＡＮＤ，ＯＲ，ＮＯＴの選択操作とで行うようなグループ設定画面を提供することを特徴とする請求項１乃至３のいずれか１項に記載の情報処理装置。
【請求項７】
前記グループ設定画面提供手段は、前記グループ設定画面として、前記グループの操作を前記グループを表すアイコンのアイコン操作で行うようなグループ設定画面を提供することを特徴とする請求項１乃至３のいずれか１項に記載の情報処理装置。
【請求項８】
前記グループ設定画面又は前記利用制限設定画面では、複数個のグループを１個のグループに併合する併合操作が可能であることを特徴とする請求項１乃至７のいずれか１項に記載の情報処理装置。
【請求項９】
前記グループ設定画面又は前記利用制限設定画面では、１個のグループを複数個のグループに分割する分割操作が可能であることを特徴とする請求項１乃至８のいずれか１項に記載の情報処理装置。
【請求項１０】
前記グループ設定画面又は前記利用制限設定画面では、グループに属するユーザを参照する参照操作が可能であることを特徴とする請求項１乃至９のいずれか１項に記載の情報処理装置。
【請求項１１】
前記グループ設定画面又は前記利用制限設定画面では、グループを複製する複製操作が可能であることを特徴とする請求項１乃至１０のいずれか１項に記載の情報処理装置。
【請求項１２】
前記グループ設定画面又は前記利用制限設定画面では、グループを削除する削除操作が可能であることを特徴とする請求項１乃至１１のいずれか１項に記載の情報処理装置。
【請求項１３】
前記グループは、ＸＭＬにて記述されて当該情報処理装置内に設定されることを特徴とする請求項１乃至１２のいずれか１項に記載の情報処理装置。
【請求項１４】
前記ユーザ情報管理サーバは、ＬＤＡＰサーバであることを特徴とする請求項１乃至１３のいずれか１項に記載の情報処理装置。
【請求項１５】
当該情報処理装置は、画像形成装置であることを特徴とする請求項１乃至１４のいずれか１項に記載の情報処理装置。
【請求項１６】
ユーザ情報をユーザ情報管理項目の項目値として管理するユーザ情報管理サーバのクライアントとなる情報処理装置によって実行される情報処理方法であって、
あるユーザがグループに属するか否かが、前記ユーザ情報管理サーバに管理されているそのユーザのユーザ情報が所定のユーザ情報管理項目に所定の項目値が格納されているか否かに係る条件をクリアするか否か、で規定されるようなグループを当該情報処理装置内に設定するためのグループ設定画面を提供するグループ設定画面提供段階を備えることを特徴とする情報処理方法。
【請求項１７】
当該情報処理装置を利用するユーザの認証を前記ユーザ情報管理サーバに実行させる旨の設定を当該情報処理装置内に設定するための認証設定画面を提供する認証設定画面提供段階を備えることを特徴とする請求項１６に記載の情報処理方法。
【請求項１８】
当該情報処理装置を利用するユーザの利用制限の設定を前記グループ毎に当該情報処理装置内に設定するための利用制限設定画面を提供する利用制限設定画面提供段階を備えることを特徴とする請求項１６又は１７に記載の情報処理方法。
【請求項１９】
請求項１６乃至１８のいずれか１項に記載の情報処理方法をコンピュータに実行させる情報処理プログラム。
【請求項２０】
請求項１６乃至１８のいずれか１項に記載の情報処理方法をコンピュータに実行させる情報処理プログラムが記録されたコンピュータ読取可能な記録媒体。
【発明の詳細な説明】
【技術分野】
【０００１】
本発明は、主たる機能として情報処理機能を備える情報機器／従たる機能として情報処理機能を備える電気機器等の情報処理装置と、情報処理方法と、情報処理プログラムと、ＣＤ−ＲＯＭ等の記録媒体とに関する。主たる機能として情報処理機能を備える情報機器の具体例としては、パーソナルコンピュータが挙げられる。従たる機能として情報処理機能を備える電気機器の具体例としては、近年、情報処理機能の高度化が目覚しいコピー／プリンタ／スキャナ／ファクシミリ／複合機／融合機等の画像形成装置が挙げられる。
【背景技術】
【０００２】
近年、コピーとプリンタとスキャナとファクシミリとしての機能を備える複合機や融合機が市販されるようになった。複合機や融合機は、撮像部や印刷部や通信部や操作表示部等のハードウェアを備えると共に、コピーとプリンタとスキャナとファクシミリに対応する４種類のソフトウェアを備え、これらのソフトウェアが切り替わることにより、コピーやプリンタやスキャナやファクシミリとして機能する。複合機や融合機は、コピーやプリンタとして機能する場合、画像を印刷用紙等に印刷することになり、コピーやスキャナとして機能する場合、画像を読取原稿等から読み取ることになり、ファクシミリとして機能する場合、画像を電話回線等を介して他の機器と授受することになる。
【特許文献１】特開２００２−８４３８３号公報
【発明の開示】
【発明が解決しようとする課題】
【０００３】
複合機や融合機の機能の中には「ユーザ情報」が必要となる機能が存在する。例えば、複合機や融合機がスキャナやファクシミリとして機能する場合、メールアドレスやファクシミリ電話番号等の「ユーザ情報」が必要となる。複合機や融合機には、これらのユーザ情報を管理する機能が用意されているのが通例であるところ、複合機や融合機にさらに、これらのユーザ情報を管理する「ユーザ情報管理サーバ」からこれらのユーザ情報を取得する機能が用意されていると便利である。このような「ユーザ情報管理サーバ」の具体例としては、ＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）サーバが挙げられる。
【０００４】
ＬＤＡＰでは、人間や組織は「オブジェクト」として観念される。個々のオブジェクトの情報は、個々のオブジェクトの「エントリ」に格納されて管理される。エントリには、オブジェクトの種類に関する情報である「オブジェクトクラス」や、オブジェクトの性質に関する情報である「属性」等が格納される。属性は、ｃ（国）ｏ（組織）ｏｕ（組織内単位）ｃｎ（姓名）ｓｎ（姓）ｇｉｖｅｎＮａｍｅ（名）ｍａｉｌ（メールアドレス）ｆａｃｓｉｍｉｌｅＴｅｌｅｐｈｏｎｅＮｕｍｂｅｒ（ファクシミリ電話番号）等の「属性型」と、ｃ：日本，ｏ：リコー，ｏｕ：研究開発部，ｃｎ：鈴木太郎，ｓｎ：鈴木，ｇｉｖｅｎＮａｍｅ：太郎等の「属性値」により構成される。エントリはオブジェクトクラスにより階層化されているため、各エントリの識別名（ＤＮ）は各エントリの１属性（識別属性）に由来する各エントリの相対識別名（ＲＤＮ）を階層順に並べて構成される。
【０００５】
ＬＤＡＰクライアントとＬＤＡＰサーバの間では、種々の要求と応答が繰り返される。ＬＤＡＰでは、結合（ｂｉｎｄ）や結合解放（ｕｎｂｉｎｄ）等の認証系操作、検索（ｓｅａｒｃｈ）や比較（ｃｏｍｐａｒｅ）等の問合せ系操作、追加（ａｄｄ）や削除（ｄｅｌｅｔｅ）や変更（ｍｏｄｉｆｙ）等の更新系操作が用意されている。例えば、ＬＤＡＰクライアントからＬＤＡＰサーバに検索操作が要求（検索要求）されると、これに応じてＬＤＡＰサーバからＬＤＡＰクライアントに検索結果が応答（検索応答）される。
【０００６】
ところで、複合機や融合機の情報処理機能の高度化に伴い、複合機や融合機を利用するユーザの認証処理を実施するような複合機や融合機が増えている。複合機や融合機を利用するユーザの認証処理の実施形態は、複合機や融合機を利用するユーザの認証処理を複合機や融合機が実行する「ローカル認証」と、複合機や融合機を利用するユーザの認証処理をＮＴサーバやＬＤＡＰサーバ等の「認証サーバ」に実行させるＮＴ認証やＬＤＡＰ認証等の「リモート認証」とに分類することができる。
【０００７】
さらには、複合機や融合機の情報処理機能の高度化に伴い、複合機や融合機を利用するユーザの利用制限処理を実施するような複合機や融合機が増えている。複合機や融合機を利用するユーザの利用制限処理を実施するような場合、ユーザＡには機能Ａの利用を許可してユーザＢには機能Ｂの利用を許可するというように、利用制限を「ユーザ毎」に設定するよりは、グループＡに属するユーザには機能Ａの利用を許可してグループＢに属するユーザには機能Ｂの利用を許可するというように、利用制限を「グループ毎」に設定する方が便利なことがあるだろう。しかし、これを実現するためには、複合機や融合機を利用するユーザのグループを設定する手段が存在することが前提となる。
【０００８】
したがって、本発明は、画像形成装置等の情報処理装置を利用するユーザ等のグループを設定するための手法を提案することを課題とする。
【課題を解決するための手段】
【０００９】
請求項１に記載の発明（情報処理装置）は、ユーザ情報をユーザ情報管理項目の項目値として管理するユーザ情報管理サーバのクライアントとなる情報処理装置であって、あるユーザがグループに属するか否かが、前記ユーザ情報管理サーバに管理されているそのユーザのユーザ情報が所定のユーザ情報管理項目に所定の項目値が格納されているか否かに係る条件をクリアするか否か、で規定されるようなグループを当該情報処理装置内に設定するためのグループ設定画面を提供するグループ設定画面提供手段を備える。
【００１０】
請求項２に記載の発明（情報処理装置）は、請求項１に記載の発明（情報処理装置）にて、当該情報処理装置を利用するユーザの認証を前記ユーザ情報管理サーバに実行させる旨の設定を当該情報処理装置内に設定するための認証設定画面を提供する認証設定画面提供手段を備える。
【００１１】
請求項３に記載の発明（情報処理装置）は、請求項１又は２に記載の発明（情報処理装置）にて、当該情報処理装置を利用するユーザの利用制限の設定を前記グループ毎に当該情報処理装置内に設定するための利用制限設定画面を提供する利用制限設定画面提供手段を備える。
【００１２】
請求項４に記載の発明（情報処理装置）は、請求項１乃至３のいずれか１項に記載の発明（情報処理装置）において、前記グループ設定画面提供手段は、前記グループ設定画面として、前記条件の設定操作を文字入力操作で行うようなグループ設定画面を提供する。
【００１３】
請求項５に記載の発明（情報処理装置）は、請求項１乃至３のいずれか１項に記載の発明（情報処理装置）において、前記グループ設定画面提供手段は、前記グループ設定画面として、前記条件の設定操作をユーザ情報管理項目の選択操作と項目値の選択操作とで行うようなグループ設定画面を提供する。
【００１４】
請求項６に記載の発明（情報処理装置）は、請求項１乃至３のいずれか１項に記載の発明（情報処理装置）において、前記グループ設定画面提供手段は、前記グループ設定画面として、前記条件の設定操作をユーザ情報管理項目の選択操作と項目値の選択操作とＡＮＤ，ＯＲ，ＮＯＴの選択操作とで行うようなグループ設定画面を提供する。
【００１５】
請求項７に記載の発明（情報処理装置）は、請求項１乃至３のいずれか１項に記載の発明（情報処理装置）において、前記グループ設定画面提供手段は、前記グループ設定画面として、前記グループの操作を前記グループを表すアイコンのアイコン操作で行うようなグループ設定画面を提供する。
【００１６】
請求項８に記載の発明（情報処理装置）は、請求項１乃至７のいずれか１項に記載の発明（情報処理装置）にて、前記グループ設定画面又は前記利用制限設定画面では、複数個のグループを１個のグループに併合する併合操作が可能である。
【００１７】
請求項９に記載の発明（情報処理装置）は、請求項１乃至８のいずれか１項に記載の発明（情報処理装置）にて、前記グループ設定画面又は前記利用制限設定画面では、１個のグループを複数個のグループに分割する分割操作が可能である。
【００１８】
請求項１０に記載の発明（情報処理装置）は、請求項１乃至９のいずれか１項に記載の発明（情報処理装置）において、前記グループ設定画面又は前記利用制限設定画面では、グループに属するユーザを参照する参照操作が可能である。
【００１９】
請求項１１に記載の発明（情報処理装置）は、請求項１乃至１０いずれか１項に記載の発明（情報処理装置）において、前記グループ設定画面又は前記利用制限設定画面では、グループを複製する複製操作が可能である。
【００２０】
請求項１２に記載の発明（情報処理装置）は、請求項１乃至１１いずれか１項に記載の発明（情報処理装置）において、前記グループ設定画面又は前記利用制限設定画面では、グループを削除する削除操作が可能である。
【００２１】
請求項１３に記載の発明（情報処理装置）は、請求項１乃至１２いずれか１項に記載の発明（情報処理装置）にて、前記グループは、ＸＭＬにて記述されて当該情報処理装置内に設定される。
【００２２】
請求項１４に記載の発明（情報処理装置）は、請求項１乃至１３いずれか１項に記載の発明（情報処理装置）にて、前記ユーザ情報管理サーバは、ＬＤＡＰサーバである。
【００２３】
請求項１５に記載の発明（情報処理装置）は、請求項１乃至１４いずれか１項に記載の発明（情報処理装置）にて、当該情報処理装置は、画像形成装置である。
【００２４】
請求項１６に記載の発明（情報処理方法）は、ユーザ情報をユーザ情報管理項目の項目値として管理するユーザ情報管理サーバのクライアントとなる情報処理装置によって実行される情報処理方法であって、あるユーザがグループに属するか否かが、前記ユーザ情報管理サーバに管理されているそのユーザのユーザ情報が所定のユーザ情報管理項目に所定の項目値が格納されているか否かに係る条件をクリアするか否か、で規定されるようなグループを当該情報処理装置内に設定するためのグループ設定画面を提供するグループ設定画面提供段階を備える。
【００２５】
請求項１７に記載の発明（情報処理方法）は、請求項１６記載の発明（情報処理方法）において、当該情報処理装置を利用するユーザの認証を前記ユーザ情報管理サーバに実行させる旨の設定を当該情報処理装置内に設定するための認証設定画面を提供する認証設定画面提供段階を備える。
【００２６】
請求項１８に記載の発明（情報処理方法）は、請求項１６又は１７記載の発明（情報処理方法）において、当該情報処理装置を利用するユーザの利用制限の設定を前記グループ毎に当該情報処理装置内に設定するための利用制限設定画面を提供する利用制限設定画面提供段階を備える。
【００２７】
請求項１９に記載の発明（情報処理プログラム）は、請求項１６乃至１８いずれか１項記載の情報処理方法をコンピュータに実行させる情報処理プログラムである。
【００２８】
請求項２０に記載の発明（記録媒体）は、請求項１６乃至１８いずれか１項記載の情報処理方法をコンピュータに実行させる情報処理プログラムが記録されたコンピュータ読取可能な記録媒体。
【００２９】
請求項１記載の発明（情報処理装置）によると、ユーザ情報管理サーバにユーザ情報が管理されているユーザのグループを情報処理装置内に設定できる。
【００３０】
請求項２記載の発明（情報処理装置）によると更に、情報処理装置を利用するユーザの認証をユーザ情報管理サーバに実行させる旨の設定を情報処理装置内に設定できる。
【００３１】
請求項３記載の発明（情報処理装置）によると更に、情報処理装置を利用するユーザの利用制限の設定を「グループ毎」に情報処理装置内に設定できる。
【００３２】
請求項４記載の発明（情報処理装置）によると、条件の設定操作を文字入力操作で行うことができる。
【００３３】
請求項５記載の発明（情報処理装置）によると、条件の設定操作をユーザ情報管理項目の選択操作と項目値の選択操作とで行うことができるため、条件の設定を簡単に行うことができる。
【００３４】
請求項６記載の発明（情報処理装置）によると、条件の設定操作をユーザ情報管理項目の選択操作と項目値の選択操作とＡＮＤ，ＯＲ，ＮＯＴの選択操作とで行うことができるため、ＡＮＤ，ＯＲ，ＮＯＴが登場する条件の設定も簡単に行うことができる。
【００３５】
請求項７記載の発明（情報処理装置）によると、グループの操作をグループを表すアイコンのアイコン操作で行うことができるため、グループの操作が感覚的（特に視覚的）に理解しやすいものとなる。
【００３６】
請求項１６記載の発明（情報処理方法）によると、ユーザ情報管理サーバにユーザ情報が管理されているユーザのグループを情報処理装置内に設定できる。
【００３７】
請求項１７記載の発明（情報処理方法）によると更に、情報処理装置を利用するユーザの認証をユーザ情報管理サーバに実行させる旨の設定を情報処理装置内に設定できる。
【００３８】
請求項１８記載の発明（情報処理方法）によると更に、情報処理装置を利用するユーザの利用制限の設定を「グループ毎」に情報処理装置内に設定できる。
【発明の効果】
【００３９】
このように、本発明は、画像形成装置等の情報処理装置を利用するユーザ等のグループを設定するための手法を提案するものである。
【発明を実施するための最良の形態】
【００４０】
図３４は、本発明の実施例に該当する情報処理装置１１を表す。図３４の情報処理装置１１は、種々のハードウェア２１と、種々のソフトウェア２２と、起動部２３により構成される。
【００４１】
情報処理装置１１のハードウェア２１としては、ＣＰＵやＲＯＭやＲＡＭやＨＤＤ等により構成される情報処理部、ＭＯＤＥＭやＮＩＣ等により構成される通信部、キーボードやマウスやディスプレイ等により構成される操作表示部が存在する。
【００４２】
情報処理装置１１のソフトウェア２２としては、種々のアプリケーション３１、種々のプラットフォーム３２が存在する。プラットフォーム３２としては、情報処理部に関する制御を行うモジュール、通信部に関する仲介を行うモジュール、操作表示部に関する制御を行うモジュール、ユーザ情報の管理に関する制御を行うモジュール、システムの管理に関する制御を行うモジュールが存在する。これらのプログラムは、ＵＮＩＸ（登録商標）等のＯＳ（オペレーティングシステム）によりプロセス単位で並列的に実行される。
【００４３】
起動部２３は、情報処理装置１１の電源投入時に最初に実行される。これにより、ＵＮＩＸ（登録商標）等のＯＳが起動され、アプリケーション３１やプラットフォーム３２が起動される。これらのプログラムは、ＨＤＤやメモリカードに蓄積されており、ＨＤＤやメモリカードから再生されて、ＲＡＭに起動されることになる。
【００４４】
図３４の情報処理装置１１の例としては、主たる機能として情報処理機能を備える情報機器や、従たる機能として情報処理機能を備える電気機器等が挙げられる。主たる機能として情報処理機能を備える情報機器の具体例としては、パーソナルコンピュータが挙げられる。従たる機能として情報処理機能を備える電気機器の具体例としては、近年、情報処理機能の高度化が目覚しいコピー／プリンタ／スキャナ／ファクシミリ／複合機／融合機等の画像形成装置が挙げられる。以下、情報処理装置１１の具体例である融合機１０１について説明する。
【００４５】
図１は、本発明の実施例に該当する融合機１０１を表す。図１の融合機１０１は、種々のハードウェア１１１と、種々のソフトウェア１１２と、融合機起動部１１３により構成される。図１の融合機１０１は、コピーやプリンタやスキャナやファクシミリとして機能することができる。
【００４６】
融合機１０１のハードウェア１１１としては、撮像部１２１と、印刷部１２２と、その他のハードウェア１２３が存在する。
【００４７】
撮像部１２１は、原稿から画像（画像データ）を読み取るためのハードウェアであり、コピーやスキャナやファクシミリとして機能する際に使用される。撮像部１２１は、白黒画像用の物でもカラー画像用の物でもよい。撮像部１２１は、原稿に関する機構として、原稿セット部等を備える。
【００４８】
印刷部１２２は、画像（画像データ）を印刷用紙等の印刷媒体に印刷するためのハードウェアであり、コピーやプリンタやファクシミリとして機能する際に使用される。印刷部１２２は、白黒画像用の物でもカラー画像用の物でもよい。印刷部１２２は、ここでは電子写真方式を採用しており、感光体、帯電機、露光機、現像機、転写機、定着機等を備える。印刷部１２２は、印刷用紙等に関する機構として、給紙部、排紙部、印刷用紙等搬送機構等を備える。
【００４９】
その他のハードウェア１２３については、図２において説明する。
【００５０】
融合機１０１のソフトウェア１１２としては、種々のアプリケーション１３１と、種々のプラットフォーム１３２が存在する。これらのプログラムは、ＵＮＩＸ（登録商標）等のＯＳ（オペレーティングシステム）によりプロセス単位で並列的に実行される。
【００５１】
アプリケーション１３１は、コピーやプリンタやスキャナやファクシミリ等の機能に固有な情報処理を実行するためのソフトウェアである。アプリケーション１３１としては、コピー用のアプリケーションであるコピーアプリ１４１と、プリンタ用のアプリケーションであるプリンタアプリ１４２と、スキャナ用のアプリケーションであるスキャナアプリ１４３と、ファクシミリ用のアプリケーションであるファクシミリアプリ１４４と、ネットワークファイル用のアプリケーションであるネットワークファイルアプリ１４５が存在する。ネットワークファイルアプリ１４５は、ＨＴＭＬ文書等の閲覧用のＷｅｂブラウザや、ＨＴＭＬ文書等の配信用のＷｅｂサーバソフトにより構成される。
【００５２】
プラットフォーム１３２は、アプリケーション１３１からの処理要求に関する情報処理を実行するためのソフトウェアである。アプリケーション１３１からの処理要求の受信には、予め定義されている関数により処理要求を受信するアプリケーションプログラムインタフェース（ＡＰＩ）１３３を利用して、要求内容の実施には、エンジンインタフェース１３４を利用する。プラットフォーム１３２としては、種々のコントロールサービス１５１と、システムリソースマネージャ１５２と、種々のハンドラ１５３が存在する。
【００５３】
コントロールサービス１５１は、アプリケーション１３１からの処理要求を解釈して、解釈結果に応じてハードウェア１１１の獲得要求を発生させる。コントロールサービス１５１としては、ネットワークコントロールサービス（ＮＣＳ）１６１と、ファクシミリコントロールサービス（ＦＣＳ）１６２と、デリバリコントロールサービス（ＤＣＳ）１６３と、エンジンコントロールサービス（ＥＣＳ）１６４と、メモリコントロールサービス（ＭＣＳ）１６５と、オペレーションパネルコントロールサービス（ＯＣＳ）１６６と、サーティフィケーションコントロールサービス（ＣＣＳ）１６７と、ユーザディレクトリコントロールサービス（ＵＣＳ）１６８と、システムコントロールサービス（ＳＣＳ）１６９が存在する。
【００５４】
ＮＣＳ１６１のプロセスは、ネットワーク等を介してデータ通信を行うための仲介を行う。ＦＣＳ１６２のプロセスは、ファクシミリとして画像データ通信・画像データ読取・画像データ印刷等を行うためのＡＰＩを提供する。ＤＣＳ１６３のプロセスは、融合機１０１に蓄積された文書データの配信に関する制御を行う。ＥＣＳ１６４のプロセスは、撮像部１２１や印刷部１２２等のエンジン部に関する制御を行う。ＭＣＳ１６５のプロセスは、画像データ記憶・画像データ処理等のメモリやハードディスクドライブに関する制御を行う。ＯＣＳ１６６のプロセスは、オペレーションパネルに関する制御を行う。ＣＣＳ１６７のプロセスは、認証処理や課金処理に関する制御を行う。ＵＣＳ１６８のプロセスは、ユーザ情報の管理に関する制御を行う。ＳＣＳ１６９のプロセスは、システムの管理に関する制御を行う。
【００５５】
システムリソースマネージャ（ＳＲＭ）１５２は、ハードウェア１１１の獲得要求を調停して、調停結果に応じて要求内容を実施するための制御を行う。詳細に言うと、ＳＲＭ１５２のプロセスは、獲得要求に係るハードウェア１１１が利用可能か否か（他の獲得要求と競合しないか否か）を判定して、利用可能である場合にはその旨をコントロールサービス１５１の各プロセスに通知する。さらに、獲得要求に係るハードウェア１１１の利用スケジュールを作成して、作成結果に応じて要求内容を実施するための制御を行う。
【００５６】
ハンドラ１５３は、調停結果に応じてハードウェア１１１を管理する。ハンドラ１５３としては、ファクシミリコントロールユニットハンドラ（ＦＣＵＨ）１７１と、イメージメモリハンドラ（ＩＭＨ）１７２が存在する。ＦＣＵＨ１７１は、ファクシミリコントロールユニットを管理する。ＩＭＨ１７２は、各プロセスにメモリを割り振り、各プロセスに割り振ったメモリを管理する。
【００５７】
融合機起動部１１３は、融合機１０１の電源投入時に最初に実行される。これにより、ＵＮＩＸ（登録商標）等のＯＳが起動され、アプリケーション１３１やプラットフォーム１３２が起動される。これらのプログラムは、ハードディスクドライブやメモリカードに蓄積されており、ハードディスクドライブやメモリカードから再生されて、メモリに起動されることになる。
【００５８】
図２は、図１の融合機１０１に係るハードウェア構成図である。融合機１０１のハードウェア１１１としては、コントローラ２０１と、オペレーションパネル２０２と、ファクシミリコントロールユニット（ＦＣＵ）２０３と、撮像部１２１と、印刷部１２２が存在する。撮像部１２１と印刷部１２２を除く各構成要素が、図１の「その他のハードウェア１２３」に該当する。
【００５９】
コントローラ２０１は、ＣＰＵ２１１と、ＡＳＩＣ２１２と、ＮＢ（ノースブリッジ）２２１と、ＳＢ（サウスブリッジ）２２２と、ＭＥＭ−Ｐ（システムメモリ）２３１と、ＭＥＭ−Ｃ（ローカルメモリ）２３２と、ＨＤＤ（ハードディスクドライブ）２３３と、メモリカードスロット２３４と、ＮＩＣ（ネットワークインタフェースコントローラ）２４１と、ＵＳＢデバイス２４２と、ＩＥＥＥ１３９４デバイス２４３と、セントロニクスデバイス２４４により構成される。
【００６０】
ＣＰＵ２１１は、種々の情報処理を実行するためのＩＣであり、アプリケーション１３１やプラットフォーム１３２をＵＮＩＸ（登録商標）等のＯＳによりプロセス単位で並列的に実行する。ＡＳＩＣ２１２は、画像処理用のＩＣである。ＮＢ２２１は、ＣＰＵ２１１とＡＳＩＣ２１２を接続するためのブリッジである。ＳＢ２２２は、ＮＢ２２１と周辺機器等を接続するためのブリッジである。ＡＳＩＣ２１２とＮＢ２２１は、ＡＧＰ（Ａｃｃｅｌｅｒａｔｅｄ  Ｇｒａｐｈｉｃｓ  Ｐｏｒｔ）を介して接続されている。
【００６１】
ＭＥＭ−Ｐ２３１は、ＮＢ２２１に接続されたメモリである。ＭＥＭ−Ｃ２３２は、ＡＳＩＣ２１２に接続されたメモリである。ＨＤＤ２３３は、ＡＳＩＣ２１２に接続されたストレージであり、画像データ蓄積・文書データ蓄積・プログラム蓄積・フォントデータ蓄積・フォームデータ蓄積等を行うために使用される。メモリカードスロット２３４は、ＳＢ２２２に接続されたスロットであり、メモリカード２３５をセット（挿入）するために使用される。
【００６２】
ＮＩＣ２４１は、ネットワーク等を介してＭＡＣアドレス等を使用したデータ通信を行うためのコントローラである。ＵＳＢデバイス２４２は、ＵＳＢ規格に準拠したシリアルポートを提供するためのデバイスである。ＩＥＥＥ１３９４デバイス２４３は、ＩＥＥＥ１３９４規格に準拠したシリアルポートを提供するためのデバイスである。セントロニクスデバイス２４４は、セントロニクス仕様に準拠したパラレルポートを提供するためのデバイスである。ＮＩＣ２４１と、ＵＳＢデバイス２４２と、ＩＥＥＥ１３９４デバイス２４３と、セントロニクスデバイス２４４は、ＰＣＩ（Ｐｅｒｉｐｈｅｒａｌ  Ｃｏｍｐｏｎｅｎｔ  Ｉｎｔｅｒｃｏｎｅｃｔ）バスを介してＮＢ２２１とＳＢ２２２に接続されている。
【００６３】
オペレーションパネル２０２は、オペレータが融合機１０１に入力を行うためのハードウェア（操作部）であると共に、オペレータが融合機１０１から出力を得るためのハードウェア（表示部）である。オペレーションパネル２０２は、ＡＳＩＣ２１２に接続されている。ＦＣＵ２０３と、撮像部１２１と、印刷部１２２は、ＰＣＩ（Ｐｅｒｉｐｈｅｒａｌ  Ｃｏｍｐｏｎｅｎｔ  Ｉｎｔｅｒｃｏｎｅｃｔ）バスを介してＡＳＩＣ２１２に接続されている。
【００６４】
図３は、図１の融合機１０１に係る外観図である。図３には、撮像部１２１の位置と、印刷部１２２の位置と、オペレーションパネル２０２の位置が図示されている。図３にはまた、原稿をセットするための原稿セット部３０１と、印刷用紙等の給紙先となる給紙部３０２と、印刷用紙等の排紙先となる排紙部３０３が図示されている。原稿セット部３０１は、撮像部１２１の構成要素であり、給紙部３０２と排紙部３０３は、印刷部１２２の構成要素である。
【００６５】
オペレーションパネル２０２は、図４のように、タッチパネル３１１と、テンキー３１２と、スタートボタン３１３と、リセットボタン３１４と、初期設定ボタン３１５により構成される。
【００６６】
タッチパネル３１１は、タッチ操作で入力を行うためのハードウェア（タッチ操作部）であると共に、画面表示で出力を得るためのハードウェア（画面表示部）である。テンキー３１２は、キー操作で数字入力を行うためのハードウェアである。スタートボタン３１３は、ボタン操作でスタート操作を行うためのハードウェアである。リセットボタン３１４は、ボタン操作でリセット操作を行うためのハードウェアである。初期設定ボタン３１５は、ボタン操作で初期設定画面を表示させるためのハードウェアである。
【００６７】
融合機１０１は、原稿セット部３０１に原稿がセットされている場合、スタートボタン３１３が押されることで、撮像部１２１によりその原稿から画像を読み取る。融合機１０１は、コピーとして機能する場合、印刷部１２２によりその画像を印刷用紙等に印刷することになり、ファクシミリとして機能する場合、ＦＣＵ２０３やＮＩＣ２４１によりその画像を電話回線やネットワーク等を介して他の機器に送信することになる。印刷用紙等の給紙先は給紙部３０２であり、印刷用紙等の排紙先は排紙部３０３である。
【００６８】
原稿セット部３０１は、ＡＤＦ（自動原稿搬送装置）３２１と、フラットベッド３２２と、フラットベッドカバー３２３により構成される。給紙部３０２は、４個の給紙トレイと１個の手差しトレイにより構成される。排紙部３０３は、１個の排紙トレイにより構成される。
【００６９】
ＡＤＦ３２１には、複数枚の原稿を重ねてセットすることができる。融合機１０１は、ＡＤＦ３２１に原稿がセットされている場合、スタートボタン３１３が押されることで、撮像部１２１によりその原稿から画像を読み取る。詳細に言うと、ＡＤＦ３２１に複数枚の原稿が重ねてセットされている場合、スタートボタン３１３が押されることで、ＡＤＦ３２１が、図３の矢印のような経路で複数枚の原稿を１枚ずつ搬送し、撮像部１２１が、図３の矢印のような経路で１枚ずつ搬送される原稿から画像を読み取る。
【００７０】
フラットベッド３２２には、原稿を下向きにセットする。融合機１０１は、フラットベッド３２２に原稿がセットされている場合、スタートボタン３１３が押されることで、撮像部１２１によりその原稿から画像を読み取る。詳細に言うと、フラットベッド３２２に原稿が下向きにセットされている場合、スタートボタン３１３が押されることで、撮像部１２１が、透明なフラットベッド３２２を介して対面する原稿から画像を読み取る。
【００７１】
（ユーザ情報）
図１の融合機１０１のユーザ情報について説明する。
【００７２】
図１の融合機１０１では、ユーザ情報は、ＵＣＳ１６８によってＨＤＤ２３３等に蓄積されて管理されると共に、スキャナアプリ１４３やファクシミリアプリ１４４等によって利用される。融合機１０１がスキャナやファクシミリとして機能する場合に、メールアドレスやファクシミリ電話番号等のユーザ情報が必要となるからである。融合機１０１は、ＵＣＳ１６８によって管理されているユーザ情報を利用して、画像をネットワークや電話回線等を介して他の機器に送信するなどの画像形成処理（コピーやプリンタやスキャナやファクシミリとしての処理）を実行することができる。
【００７３】
図１の融合機１０１では、ユーザ情報は、ＵＣＳ１６８によって図５のようなアドレス帳で管理される。すなわち、ユーザ（エントリ）はユーザＩＤ（エントリＩＤ）をもって管理され、ユーザ情報は「名前」「表示名」「よみがな」「メール宛先」「ＦＡＸ宛先」等の管理項目の項目値として管理される。個々のユーザのユーザ情報のデータ構造は、図６のようなツリー構造となる。すなわち、管理項目「名前」や「表示名」等が親項目となり、管理項目「メール宛先」や「ＦＡＸ宛先」等が子項目となる。なお、１のユーザのユーザ情報は、通常１個のエントリに格納されて管理されるが、複数個のエントリに格納されて管理される場合もある。
【００７４】
図１の融合機１０１は、ユーザ情報を、ＵＣＳ１６８によってＬＤＡＰサーバから取得することができる。ＵＣＳ１６８によってＬＤＡＰサーバから取得されたユーザ情報は、ＵＣＳ１６８によってＨＤＤ２３３等に蓄積されて管理されることになる。融合機１０１はここでは、図７のように、３台のＬＤＡＰサーバ４０１（ＬＤＡＰサーバＡ，Ｂ，Ｃ）とＬＡＮ等のネットワーク４１１で接続されており、ＬＤＡＰサーバ４０１からＬＡＮ等のネットワーク４１１を介してユーザ情報を取得することができる。
【００７５】
この様子を図７と図８に基づいて説明する。図７と図８はそれぞれ、ユーザ情報の取得処理について説明するためのシステム構成図とシーケンス図である。
【００７６】
スキャナアプリ１４３やファクシミリアプリ１４４は、図７のようなスキャナ操作画面４２１やファクシミリ操作画面４２２をタッチパネル３１１（図４）に表示する。サーバ情報の取得処理を開始する契機となる操作がこれら操作画面を介して入力されると、スキャナアプリ１４３等からＵＣＳ１６８にサーバ情報の取得要求が送信（Ｓ１０）される。これに応じて、ＵＣＳ１６８からスキャナアプリ１４３等にサーバ情報が提供（Ｓ２０）される。
【００７７】
図１の融合機１０１は、サーバ情報（ＬＤＡＰサーバ情報）を、ＵＣＳ１６８によってＨＤＤ２３３等に蓄積して管理することができる。サーバ（ＬＤＡＰサーバ）からユーザ情報を取得する場合等に利用するためである。サーバ情報はサーバごとにＨＤＤ２３３等に蓄積されて管理される。サーバ情報の管理項目は「サーバ名」「ポート番号」「ＩＰアドレス」等である。
【００７８】
図１の融合機１０１では、サーバ情報の登録／変更操作を行うことができる。この様子を図９に基づいて説明する。図９は、サーバ情報の登録／変更操作について説明するための画面遷移図である。初期設定画面５０１は、初期設定ボタン３１５（図４）が押されるとタッチパネル３１１（図４）に表示される。初期設定画面５０１で「システム初期設定ボタン５１１」がタッチされると、システム初期設定画面５０２に画面が移る。システム初期設定画面５０２で「ＬＤＡＰサーバ登録／変更ボタン５１２」がタッチされると、ＬＤＡＰサーバ登録／変更画面５０３に画面が移る。ＬＤＡＰサーバ登録／変更画面５０３でサーバ情報が入力されて「設定ボタン５１３」がタッチされると、サーバ情報が登録／変更される。これら設定画面は、ＳＣＳ１６９によりタッチパネル３１１（図４）に表示される。
【００７９】
Ｓ１０の処理とＳ２０の処理とに続いて、ユーザ情報の取得処理を開始する契機となる操作が入力されると、スキャナアプリ１４３等からＵＣＳ１６８にユーザ情報の検索要求が送信（Ｓ３０）される。これに応じて、ＵＣＳ１６８からＬＤＡＰサーバ４０１に検索操作が要求（Ｓ４０）される。これに応じて、ＬＤＡＰサーバ４０１からＵＣＳ１６８に検索結果が応答（Ｓ５０）される。これに応じて、ＵＣＳ１６８からスキャナアプリ１４３等にユーザ情報の検索終了通知が送信（Ｓ６０）される。続いて、スキャナアプリ１４３等からＵＣＳ１６８にユーザ情報の取得要求が送信（Ｓ７０）される。これに応じて、ＵＣＳ１６８からスキャナアプリ１４３等にユーザ情報が提供（Ｓ８０）される。
【００８０】
この様子を図１０に基づいて更に説明する。図１０は、ユーザ情報の取得処理について説明するための画面遷移図である。
【００８１】
画面Ａは、スキャナ操作画面４２１である。画面Ａで「ルーペボタン６０１」がタッチされると、画面Ｂに画面が移る。画面Ｂで「ＬＤＡＰ検索ボタン６０２」がタッチされると、画面Ｃに画面が移る。画面Ｃで「ＬＤＡＰサーバ選択ボタン６１１」がタッチされると、画面Ｄに画面が移り、画面ＤでＬＤＡＰサーバが選択されて「ＯＫボタン６２１」がタッチされると、画面Ｃに画面が戻る。画面Ｃで「ＬＤＡＰ検索条件入力ボタン６１２」がタッチされると、画面Ｅに画面が移り、画面ＥでＬＤＡＰ検索条件が入力されて「ＯＫボタン６２２」がタッチされると、画面Ｆに画面が移り、やがてユーザ情報が表示されることになる。画面Ｄで「ＯＫボタン６２１」にタッチする操作が、サーバ情報の取得処理を開始する契機となる操作に相当して、画面Ｅで「ＯＫボタン６２２」にタッチする操作が、ユーザ情報の取得処理（検索処理）を開始する契機となる操作に相当する。
【００８２】
図１１は、ＬＤＡＰサーバ４０１からＵＣＳ１６８に応答（Ｓ５０）された検索結果、すなわち、ＵＣＳ１６８によりＬＤＡＰサーバ４０１から取得されたユーザ情報を表す。ユーザ情報の取得項目は「ｃｎ」「ｓｎ」「ｇｉｖｅｎＮａｍｅ」「ｍａｉｌ」「ｆａｃｓｉｍｉｌｅＴｅｌｅｐｈｏｎｅＮｕｍｂｅｒ」等である。ＬＤＡＰサーバ４０１は、ユーザ情報を「ｃｎ」「ｓｎ」「ｇｉｖｅｎＮａｍｅ」「ｍａｉｌ」「ｆａｃｓｉｍｉｌｅＴｅｌｅｐｈｏｎｅＮｕｍｂｅｒ」等の管理項目（属性）の項目値（属性値）として管理するからである。なお、正確には日本語等のＡＳＣＩＩ文字以外の文字はＢａｓｅ６４形式で符号化された上で記述されるが、図１１では便宜上省略した。
【００８３】
図１の融合機１０１では、ＵＣＳ１６８によってＬＤＡＰサーバ４０１から取得されたユーザ情報のデータ構造は、Ｓ５０の処理とＳ６０の処理との間（図７，８）に、ＵＣＳ１６８によって図１１のようなデータ構造から図６のようなデータ構造に変換（Ｓ５５）される。ＵＣＳ１６８はその際、ＬＤＡＰサーバ４０１から取得されたユーザ情報の取得項目を、融合機１０１でのユーザ情報の管理項目に置換する。ＬＤＡＰサーバ４０１でのユーザ情報の管理項目と融合機１０１でのユーザ情報の管理項目とが異なるからである。例えば、ＬＤＡＰサーバ４０１ではメールアドレスは「ｍａｉｌ」という管理項目の項目値として管理（図１１）されるが、融合機１０１ではメールアドレスは「メール宛先」という管理項目の項目値として管理（図５，６）される。
【００８４】
図１２は、図１０の画面遷移図に続く画面遷移図である。図１０の画面Ｆから図１２の画面Ｇにやがて画面が移る。
【００８５】
画面Ｇには、ＵＣＳ１６８からスキャナアプリ１４３等に提供（Ｓ８０）されたユーザ情報が表示される。画面Ｇにてユーザ「鈴木太郎」がタッチされて「詳細ボタン６３１」がタッチされると、画面Ｈに画面が移る。画面Ｈには、ＵＣＳ１６８からスキャナアプリ１４３等に提供（Ｓ８０）されたユーザ「鈴木太郎」のユーザ情報の詳細が表示される。画面Ｈにて「詳細閉じるボタン６３２」がタッチされると、画面Ｇに画面が戻る。画面Ｇや画面Ｈに表示されるユーザ情報は、ＬＤＡＰサーバ４０１からＵＣＳ１６８に応答（Ｓ５０）された検索結果、すなわち、ＵＣＳ１６８によってＬＤＡＰサーバ４０１から取得されたユーザ情報である。ただし、ＵＣＳ１６８によってＬＤＡＰサーバ４０１から取得されたユーザ情報そのままではなく、ＬＤＡＰサーバ４０１から取得されたユーザ情報の取得項目が融合機１０１でのユーザ情報の管理項目に置換されたものである。例えば、ＬＤＡＰサーバ４０１から取得されたユーザ情報の取得項目「ｍａｉｌ」は、融合機１０１でのユーザ情報の管理項目「メール宛先」に置換されている。
【００８６】
（ユーザ認証）
図１の融合機１０１のユーザ認証について説明する。
【００８７】
図１３は、図１の融合機１０１に係るシステム構成図である。図１の融合機１０１は、３台のＬＤＡＰサーバ４０１（ＬＤＡＰサーバＡ，Ｂ，Ｃ）とネットワーク４１１で接続されており、ＬＤＡＰサーバ４０１のクライアント（ＬＤＡＰクライアント）として機能することができる。
【００８８】
図１４は、図１の融合機１０１のＳＣＳ１６９とＵＣＳ１６８に係る機能ブロック図である。ＳＣＳ１６９には、認証設定制御部７０１と、利用制限設定制御部７０２と、グループ設定制御部７０３等が存在する。ＵＣＳ１６８には、外部機器とのインタフェースとなるＡＰＩ（アプリケーションプログラムインタフェース）層７１１と、データベースとしての機能に係るＤＢ（データベース）層７１２と、内部機器とのインタフェースとなるＩＯ（インプットアウトプット）層７１３等が存在する。後述の認証設定画面，利用制限設定画面，グループ設定画面を提供する機能はそれぞれ、ＳＣＳ１６９の認証設定制御部７０１，利用制限設定制御部７０２，グループ設定制御部７０３が担う。これら設定画面はタッチパネル３１１に表示され、これら設定画面上での設定操作はタッチパネル３１１のタッチ操作等で行うものとする。
【００８９】
図１５は、認証設定画面８０１に係る画面遷移図である。認証設定画面８０１は、融合機１０１を利用するユーザの認証処理に係る設定を融合機１０１内に設定するための設定画面である。認証設定画面８０１をなす一連の画面同士はアルファベットの添字をもって互いに区別することにする。
【００９０】
ボタン８１１は、融合機１０１を利用するユーザの認証を実行しない旨の設定を融合機１０１内に設定するためのボタンである。ボタン８１３は、融合機１０１を利用するユーザの認証を融合機が実行する旨の設定を融合機１０１内に設定するためのボタンである。ボタン８１４は、融合機１０１を利用するユーザの認証をＮＴサーバに実行させる旨の設定を融合機１０１内に設定するためのボタンである。ボタン８１５は、融合機１０１を利用するユーザの認証をＬＤＡＰサーバに実行させる旨の設定を融合機１０１内に設定するためのボタンである。
【００９１】
認証設定画面８０１Ａでボタン８１５がタッチされると、認証設定画面８０１Ｂに画面が移る。認証設定画面８０１Ｂで「設定」ボタンがタッチされると、融合機１０１を利用するユーザの認証をＬＤＡＰサーバ４０１に実行させる旨の設定が融合機１０１内に設定される。以上の処理には主にＳＣＳ１６９の認証設定制御部７０１が関与する。認証処理をどのＬＤＡＰサーバに実行させるかの情報や、認証処理を実行させるＬＤＡＰサーバのＬＤＡＰサーバ情報は、事前に設定しておく。
【００９２】
図１６は、利用制限設定画面８０２に係る画面遷移図である。利用制限設定画面８０２は、融合機１０１を利用するユーザの利用制限処理に係る設定を融合機１０１に設定するための設定画面である。利用制限設定画面８０２をなす一連の画面同士はアルファベットの添字をもって互いに区別することにする。なお、図１５の記載事項について説明する際にはその旨を括弧書きで示す。
【００９３】
ボタン８２１（図１５）は、融合機１０１を利用するユーザの認証をＬＤＡＰサーバに実行させる旨の設定を融合機１０１内に設定する場合において、融合機１０１を利用するユーザの利用制限解除（利用許可）の設定を融合機１０１内に設定しないためのボタンである。ボタン８２２（図１５）は、融合機１０１を利用するユーザの認証をＬＤＡＰサーバに実行させる旨の設定を融合機１０１内に設定する場合において、融合機１０１を利用するユーザの利用制限解除（利用許可）の設定を融合機１０１内に設定するためのボタンである。
【００９４】
ボタン８３２は、融合機１０１を利用するユーザの利用制限解除／非解除（利用許可／不許可）の設定を「ＰＦ開発メンバ分」一度に融合機１０１内に設定するためのボタンである。これにより、融合機１０１を利用するユーザの利用制限解除／非解除（利用許可／不許可）の設定を「ＰＦ開発グループ毎」に融合機１０１内に設定することができるようになる。ボタン８３３は、融合機１０１を利用するユーザの利用制限解除／非解除（利用許可／不許可）の設定を「Ｃ＆Ｆ開発メンバ分」一度に融合機１０１内に設定するためのボタンである。これにより、融合機１０１を利用するユーザの利用制限解除／非解除（利用許可／不許可）の設定を「Ｃ＆Ｆ開発グループ毎」に融合機１０１内に設定することができるようになる。
【００９５】
ボタン８４１は、融合機１０１のコピー機能の利用許可をＰＦ開発メンバに与える旨の設定を融合機１０１内に設定するためのボタンである。ボタン８４２は、融合機１０１のプリンタ機能の利用許可をＰＦ開発メンバに与える旨の設定を融合機１０１内に設定するためのボタンである。ボタン８４３は、融合機１０１のスキャナ機能の利用許可をＰＦ開発メンバに与える旨の設定を融合機１０１内に設定するためのボタンである。ボタン８４４は、融合機１０１のファクシミリ機能の利用許可をＰＦ開発メンバに与える旨の設定を融合機１０１内に設定するためのボタンである。
【００９６】
認証設定画面８０１Ｂ（図１５）でボタン８２２がタッチされると、認証設定画面８０１Ｃ（図１５）に画面が移る。認証設定画面８０１Ｃ（図１５）で「詳細設定」ボタンがタッチされると、利用制限設定画面８０２Ａに画面が移る。利用制限設定画面８０２Ａでボタン８３２がタッチされると、利用制限設定画面８０２Ｂに画面が移る。利用制限設定画面８０２Ｂで「機能設定」ボタンがタッチされると、利用制限設定画面８０２Ｃに画面が移る。利用制限設定画面８０２Ｃでボタン８４４がタッチされると、利用制限設定画面８０２Ｄに画面が移る。利用制限設定画面８０２Ｄで「設定」ボタンがタッチされると、利用制限設定画面８０２Ｅに画面が移る。利用制限設定画面８０２Ｅで「設定」ボタンがタッチされると、認証設定画面８０１Ｄ（図１５）に画面が移る。認証設定画面８０１Ｄ（図１５）で「設定」ボタンがタッチされると、融合機１０１のファクシミリ機能の利用許可をＰＦ開発メンバに与える旨の設定が融合機１０１に設定される。すなわち、融合機１０１のファクシミリ機能の利用制限解除（利用許可）の設定が「ＰＦ開発グループ毎」に融合機１０１に設定される。以上の処理には主にＳＣＳ１６９の利用制限設定制御部７０２が関与する。
【００９７】
図１７は、グループ設定画面８０３に係る画面遷移図である。グループ設定画面８０３は、ＬＤＡＰサーバ４０１にユーザ情報が管理されているユーザのグループを融合機１０１内に設定するための設定画面である。グループ設定画面８０３をなす一連の画面同士はアルファベットの添字をもって互いに区別することにする。なお、図１５と図１６の記載事項について説明する際にはその旨を括弧書きで示す。
【００９８】
グループ設定画面８０３では、ＬＤＡＰサーバにユーザ情報が管理されているユーザのグループを設定することができる。利用制限設定画面８０２（図１６）で登場した「ＰＦ開発グループ」と「Ｃ＆Ｆ開発グループ」は、このようなグループの例に相当するものであり、ＬＤＡＰサーバにユーザ情報が管理されている「ＰＦ開発メンバ」や「Ｃ＆Ｆ開発メンバ」で構成される。
【００９９】
グループ設定画面８０３では、あるユーザがグループメンバか否かが、ＬＤＡＰサーバに管理されているそのユーザのユーザ情報が所定の属性に所定の属性値が格納されているか否かに係る「条件」をクリアするか否か、で規定されるようなグループを設定することができる。例えば、ｏｕ＝ＰＦ「属性ｏｕに属性値ＰＦが格納されているか否か」という具合である。例えば、ｏｕ＝Ｃ＆Ｆ「属性ｏｕに属性値Ｃ＆Ｆが格納されているか否か」という具合である。例えば、｜（ｏｕ＝ＰＦ）（ｏｕ＝Ｃ＆Ｆ）「属性ｏｕに属性値ＰＦが格納されているか否か，又は，属性ｏｕに属性値Ｃ＆Ｆが格納されているか否か」という具合である。例えば、＆（ｏｕ＝ＰＦ）（ｍａｉｌ＝＊ｒ．ｃｏ．ｊｐ）「属性ｏｕに属性値ＰＦが格納されているか否か，及び，属性ｍａｉｌ後方に属性値ｒ．ｃｏ．ｊｐが格納されているか否か」という具合である。グループ設定画面８０３で設定されるグループにつき、あるユーザがあるグループに属するか否かは、そのユーザのユーザ情報がそのグループに係る上記のような「条件」をクリアするか否かで規定されるのである。
【０１００】
ボタン８５１は、グループ設定画面８０３として、上記のような「条件」の設定操作を文字入力操作で行うようなグループ設定画面８０３を表示するためのボタンである。ボタン８５２は、グループ設定画面８０３として、上記のような「条件」の設定操作を表示物選択操作で行うようなグループ設定画面８０３を表示するためのボタンである。
【０１０１】
利用制限設定画面８０２Ａ又はＥ（図１６）で「新規追加」ボタンがタッチされると、グループ設定画面８０３Ａに画面が移る。グループ設定画面８０３Ａでは、上記のような条件の設定操作を文字入力操作で行うことができる。グループ設定画面８０３Ａでボタン８５２がタッチされると、グループ設定画面８０３Ｂに画面が移る。グループ設定画面８０３Ｂでは、上記のような条件の設定操作を表示物選択操作で行うことができる。
【０１０２】
グループ設定画面８０３Ｂ，Ｃ，Ｄは、ｏｕ＝ＰＦ「属性ｏｕに属性値ＰＦが格納されているか否か」という条件の設定操作を「属性」の選択操作と「属性値」の選択操作で行う様子を表す。グループ設定画面８０３Ｂで「属性」の「ｏｕ」がタッチされると、グループ設定画面８０３Ｃに画面が移る。グループ設定画面８０３Ｃで「属性値」の「ＰＦ」がタッチされて「一致条件」の「一致」がタッチされると、グループ設定画面８０３Ｄに画面が移る。
【０１０３】
グループ設定画面８０３Ｄ，Ｅ，Ｆは、これに続いて（＆（ｍａｉｌ＝＊＠ｒ．ｃｏ．ｊｐ）（｜（ｏｕ＝ＰＦ）（ｏｕ＝Ｃ＆Ｆ）））という条件の設定操作を「属性」の選択操作と「属性値」の選択操作と「ＡＮＤ，ＯＲ，ＮＯＴ」の選択操作で行う様子を表す。グループ設定画面８０３Ｄで「操作」の「ＯＲで追加」がタッチされると、グループ設定画面８０３Ｅに画面が移る。以下、同様の操作を繰り返すことで、グループ設定画面８０３Ｆに画面が移る。
【０１０４】
グループ設定画面８０３Ａ，Ｄ，Ｅ，Ｆで「設定」ボタンがタッチされると、利用制限設定画面８０２Ａ又はＥ（図１６）に画面が移る。利用制限設定画面８０２Ａ又はＥ（図１６）で「設定」ボタンがタッチされると、認証設定画面８０１Ｄ（図１５）に画面が移る。認証設定画面８０１Ｄ（図１５）で「設定」ボタンがタッチされると、あるユーザがグループメンバか否かがＬＤＡＰサーバに管理されているそのユーザのユーザ情報が所定の属性に所定の属性値が格納されているか否かに係る「条件」をクリアするか否かで規定されるようなグループが、融合機１０１内に設定される。以上の処理には主にＳＣＳ１６９のグループ設定制御部７０３が関与する。
【０１０５】
図１８は、グループを複製する複製操作について説明するための画面図である。図１６にて、利用制限設定画面８０２Ａで「ＰＦ開発メンバ」ボタンがタッチされると利用制限設定画面８０２Ｂに画面が移り、利用制限設定画面８０２Ｂで「複製」ボタンがタッチされると、図１８の利用制限設定画面８０２Ｆに画面が移る。これで「ＰＦ開発グループ」が複製されたことになる。複製は、ＰＦ開発メンバ内のＵＣＳメンバで構成される「ＰＦ開発ＵＣＳグループ」を設定する場合等のように、あるグループに係る条件を引き継いで他のグループを設定する場合等に利用される。
【０１０６】
図１９は、グループを削除する削除操作について説明するための画面図である。図１６にて、利用制限設定画面８０２Ａで「ＰＦ開発メンバ」ボタンがタッチされると利用制限設定画面８０２Ｂに画面が移り、利用制限設定画面８０２Ｂで「削除」ボタンがタッチされると、図１９の利用制限設定画面８０２Ｇに画面が移る。これで「ＰＦ開発グループ」が削除されたことになる。
【０１０７】
図２０は、グループに属するユーザを参照する参照操作について説明するための画面図である。図１６にて、利用制限設定画面８０２Ａで「ＰＦ開発メンバ」ボタンがタッチされると利用制限設定画面８０２Ｂに画面が移って、利用制限設定画面８０２Ｂで「メンバ参照」ボタンがタッチされると、図２０の利用制限設定画面８０２Ｈに画面が移る。このようにして「ＰＦ開発グループ」に属するユーザを参照することができる。
【０１０８】
図２１は、図２０の利用制限設定画面８０２Ｈの表示処理に係るシーケンス図である。利用制限設定画面８０２Ａで「ＰＦ開発メンバ」ボタンがタッチされると、利用制限設定画面８０２Ｂに画面が移って、利用制限設定画面８０２Ｂで「メンバ参照」ボタンがタッチされると、ＳＣＳ１６９からＵＣＳ１６８にユーザ情報の検索要求が送信（Ｓ１１０）される。これに応じて、ＵＣＳ１６８からＬＤＡＰサーバ４０１に検索操作が要求（Ｓ１２０）される。これに応じて、ＬＤＡＰサーバ４０１からＵＣＳ１６８に検索結果が応答（Ｓ１３０）される。これに応じて、ＵＣＳ１６８からＳＣＳ１６９にユーザ情報が提供（Ｓ１４０）される。これに応じて、利用制限設定画面８０２Ｈに画面が移る。ＬＤＡＰ検索条件（フィルタ）としては、ＰＦ開発メンバが検索されるようなＬＤＡＰ検索条件が使用される。すなわち、ＰＦ開発グループを規定する条件としてグループ設定画面８０３で設定された条件が使用される。
【０１０９】
ＳＣＳ１６９は、グループ設定画面８０３としてさらに、グループの操作を「グループアイコン」のアイコン操作と「階層アイコン」のアイコン操作で行うようなグループ設定画面８０３を提供することができる。すなわち、グループの「階層構造」を取り扱うようなグループ設定画面８０３を提供するものである。なお、グループアイコンとはグループを表すアイコンであり、階層アイコンとはグループの階層を表すアイコンである。
【０１１０】
図２２は、上記のグループ設定画面８０３に係る画面図である。図２２のグループ設定画面８０３Ｇには、追加，編集，関連，メンバ参照，複製，削除，移動等のボタンが存在する。複製ボタンによる複製操作，削除ボタンによる削除操作，メンバ参照ボタンによる参照操作についてはそれぞれ、図１８，図１９，図２０と同様である。
【０１１１】
図２３は、追加操作に係る画面遷移図である。グループ設定画面８０３Ｇ（図２２）で追加ボタンがタッチされると、グループ設定画面８０３Ｈａのように、階層ボタン８６１とグループボタン８６２が画面上に登場することになる。グループ設定画面８０３Ｈａで階層アイコン「階層０」がタッチされると、グループ設定画面８０３Ｈｂに画面が移る。グループ設定画面８０３ＨｂでＯＫボタンがタッチされると、グループ設定画面８０３Ｈｃのように、階層アイコン「階層１」が画面に登場することになる。グループ設定画面８０３Ｈｃでグループボタン８６２がタッチされると、グループ設定画面８０３Ｈｄに画面が移る。グループ設定画面８０３Ｈｄで階層アイコン「階層１」がタッチされると、グループ設定画面８０３Ｈｅに画面が移る。グループ設定画面８０３Ｈｅは、グループ設定画面８０３Ａ（図１７）と同様のグループ設定画面８０３であり、グループ設定画面８０３Ｈｅでは、グループを規定する条件を設定することができる。グループ設定画面８０３Ｈｅで設定ボタンがタッチされると、グループ設定画面８０３Ｈｆのように、グループアイコン「リコー」が画面上に登場することになる。これはすなわち、階層「０」の下位階層の階層「１」にグループ「リコー」が追加されたことを意味する。
【０１１２】
図２４は、関連操作に係る画面遷移図である。グループ設定画面８０３Ｇ（図２２）で関連ボタンがタッチされると、グループ設定画面８０３Ｉａに画面が移る。なお、説明の便宜上、種々の追加操作がすでに実行済であるものとする。グループ設定画面８０３Ｉａでグループアイコン「リコー」と「ＰＦ開発グループ」と「Ｃ＆Ｆ開発グループ」がタッチされると、グループ設定画面８０３Ｉｂに画面が移る。グループ設定画面８０３ＩｂでＯＫボタンがタッチされると、グループ設定画面８０３Ｉｃのように、グループアイコン「リコー」と「ＰＦ開発グループ」と「Ｃ＆Ｆ開発グループ」を結ぶ矢印が画面上に登場することになる。これは、階層「１」のグループ「リコー」と階層「２」のグループ「ＰＦ開発グループ」と階層「２」のグループ「Ｃ＆Ｆ開発グループ」に関連を持たせたことを意味する。
【０１１３】
図２５は、削除操作に係る画面遷移図である。グループ設定画面８０３Ｇ（図２２）で削除ボタンがタッチされると、グループ設定画面８０３Ｊａに画面が移る。なお、説明の便宜上、種々の追加操作がすでに実行済であるものとする。グループ設定画面８０３Ｊａでグループアイコン「ＰＦ開発グループ」がタッチされると、グループ設定画面８０３Ｊｂに画面が移る。グループ設定画面８０３ＪｂでＯＫボタンがタッチされると、グループ設定画面８０３Ｊｃのように、グループアイコン「ＰＦ開発グループ」が画面上から退場することになる。これは、階層「２」のグループ「ＰＦ開発グループ」を削除したことを意味する。同時に、グループアイコン「ＰＦ開発グループ」に係る矢印も画面上から退場することになる。これは、階層「２」のグループ「ＰＦ開発グループ」に係る関連を削除したことを意味する。
【０１１４】
図２６は、移動操作に係る画面遷移図である。グループ設定画面８０３Ｇ（図２２）で移動ボタンがタッチされると、グループ設定画面８０３Ｋａに画面が移る。なお、説明の便宜上、種々の追加操作がすでに実行済であるものとする。グループ設定画面８０３Ｋａでグループアイコン「ＰＦ開発グループ」と「Ｃ＆Ｆ開発グループ」がタッチされると、グループ設定画面８０３Ｋｂに画面が移る。グループ設定画面８０３ＫｂでＯＫボタンがタッチされると、グループ設定画面８０３Ｋｃのように、グループアイコン「ＰＦ開発グループ」と「Ｃ＆Ｆ開発グループ」の位置が画面上で移動することになる。グループアイコン「ＰＦ開発グループ」と「Ｃ＆Ｆ開発グループ」に係る矢印の位置はそのままの位置に留まる。
【０１１５】
図２７は、図２２のグループ設定画面８０３で設定されたグループの階層構造を表す。グループアイコンがグループを表し、グループアイコン同士を結ぶ矢印がグループ同士の関連を表す。グループアイコンＡからグループアイコンＢに向かう矢印が存在する場合、すなわち、グループＡからグループＢに向かう関連が存在する場合、グループＡを規定する条件がグループＢを規定する条件に引き継がれることになる。例えば、グループ「ＰＦ開発グループ」を規定する条件は、グループ「リコー」を規定する条件を引き継いで（＆（ｏ＝ＲＩＣＯＨ）（ｏｕ＝ＰＦ））となる。例えば、グループ「ＵＣＳチーム」を規定する条件は、グループ「リコー」を規定する条件とグループ「ＰＦ開発メンバ」を規定する条件を引き継いで（＆（＆（ｏ＝ＲＩＣＯＨ）（ｏｕ＝ＰＦ））（ｏｕ＝ＵＣＳ））となる。
【０１１６】
図２８は、図２２のグループ設定画面８０３で設定されたグループに係るＸＭＬ（ｅＸｔｅｎｓｉｂｌｅ  Ｍａｒｋｕｐ  Ｌａｎｇｕａｇｅ）データを表す。図２２のグループ設定画面８０３で設定されたグループは、図２８のように、ＸＭＬで記述されて融合機１０１内に設定される。グループ情報の設定項目は「グループ名称」「グループ条件」「グループＩＤ」「上位グループの個数」「上位グループのグループＩＤ」等である。
【０１１７】
融合機１０１では、ＵＣＳ１６８により、ＸＭＬデータからグループを規定する条件を生成する「条件生成処理」が実行される。図２９は、条件生成処理に係るフローチャート図である。最初に、条件生成対象のグループに上位グループが存在する場合（Ｓ２１０）には、条件生成対象のグループの条件にその上位グループの条件をＡＮＤで追加（Ｓ２２０）する。更に、先程登場した上位グループに上位グループが存在する場合（Ｓ２３０）には、条件生成対象のグループの条件にその上位グループの条件をＡＮＤで追加（Ｓ２２０）する。このような処理を、上位グループが存在しなくなるまで繰り返す。なお、同位の上位グループが１個の場合には、その上位グループの条件をＡＮＤで追加して、同位の上位グループが２個以上の場合には、それらの上位グループの条件同士のＯＲをＡＮＤで追加する。このように、条件生成対象のグループの条件に上位グループの条件をＡＮＤで追加していくのではなく、条件生成対象のグループの条件に下位グループの条件をＯＲで追加していくようにしてもよい。
【０１１８】
図３０は、複数個のグループを１個のグループに併合する併合操作と、１個のグループを複数個のグループに分割する分割操作について説明するための図である。図２２のグループ設定画面８０３では例えば、グループアイコンのドラッグ操作によってグループ同士を併合することができる。図３０は、グループ「ＰＦ開発グループ」にグループ「Ｃ＆Ｆグループ」を併合した様子をグループ情報の側面から説明するための図である。グループ「ＰＦ開発グループ」のグループ条件は、併合前には（ｏｕ＝ＰＦ）だったものが、グループ「Ｃ＆Ｆ開発グループ」のグループ条件を取り込むことで、併合後には（｜（ｏｕ＝ＰＦ）（ｏｕ＝Ｃ＆Ｆ））となっている。図３０のように、併合操作の逆の操作が分割操作になる。
【０１１９】
図１５のような設定操作により、融合機１０１内には、融合機１０１を利用するユーザの認証をＬＤＡＰサーバ４０１に実行させる旨の設定が設定される。図１６のような設定操作により、融合機１０１内には、融合機１０１のファクシミリ機能の利用許可の設定が「ＰＦ開発グループ毎」に設定される。図１７のような設定操作によって、融合機１０１内には、あるユーザが「ＰＦ開発グループ」に属するか否かが、ＬＤＡＰサーバ７０１に管理されているそのユーザのユーザ情報が条件「ｏｕ＝ＰＦ」をクリアするか否かで規定されるような「ＰＦ開発グループ」が設定される。
【０１２０】
図３１は、融合機１０１を利用するユーザの認証処理と利用制限処理に係るシーケンス図である。融合機１０１を利用するユーザが融合機１０１にログインすべく融合機１０１に認証情報を入力すると、ＳＣＳ１６９からＣＣＳ１６７に認証要求が送信（Ｓ３１０）される。これに応じて、ＣＣＳ１６７からＬＤＡＰサーバ４０１に認証操作が要求（Ｓ３２０）される。これに応じて、ＬＤＡＰサーバ４０１からＣＣＳ１６７に認証結果が応答（Ｓ３３０）される。続いて、ＣＣＳ１６７からＵＣＳ１６８に利用制限情報取得要求が送信（Ｓ４１０）される。これに応じて、ＵＣＳ１６８からＬＤＡＰサーバ４０１に上記のユーザのユーザ情報の検索操作が要求（Ｓ４２０）される。これに応じて、ＬＤＡＰサーバ４０１からＵＣＳ１６８に上記のユーザのユーザ情報の検索結果が応答（Ｓ４３０）される。これに応じて、ＵＣＳ１６８は、融合機１０１の各機能の利用許可が上記ユーザに与えられているか否かの「利用制限情報」を作成（Ｓ４４０）する。これに応じて、ＵＣＳ１６８からＣＣＳ１６７に利用制限情報が提供（Ｓ４５０）される。これに応じて、ＣＣＳ１６７は、融合機１０１の各機能のチケットを作成（Ｓ５１０）して配布（Ｓ５２０）する。
【０１２１】
図３２は、利用制限情報の作成処理（Ｓ４４０）に係るフローチャート図である。融合機１０１内には、融合機１０１の各機能の利用許可の設定が「グループ毎」に設定されている。ＵＣＳ１６８は、利用許可の設定が存在する場合（Ｓ６１０）にはまず、１個目の利用許可の設定情報を取得（Ｓ６２０）して、上記のユーザが１個目の利用許可の設定に係るグループメンバか否かを判断（Ｓ６３０）する。ＵＣＳ１６８は、上記のユーザが１個目の利用許可の設定に係るグループメンバである場合（Ｓ６４０）には、１個目の利用許可の設定情報から利用制限情報を作成（Ｓ６５０）する。ＵＣＳ１６８は、次の利用許可の設定が存在する場合（Ｓ６６０）には、次の利用許可の設定情報を取得（Ｓ６７０）して、以下同様の処理を繰り返す。
【０１２２】
なお、融合機１０１内に設定されたグループを、融合機１０１を利用するユーザの認証処理や利用制限処理で使用するだけでなく、メール宛先やＦＡＸ宛先等の「宛先」として使用するようにしてもよい。図３３は、融合機１０１内に設定されたグループを「宛先」として使用する処理に係るシーケンス図である。融合機１０１内に設定されたグループを宛先として選択すると、スキャナアプリ１４３等からＳＣＳ１６９にグループ選択要求が送信（Ｓ７１０）される。これに応じて、ＳＣＳ１６９からＵＣＳ１６８にグループ情報の取得要求が送信（Ｓ７２０）される。これに応じて、ＵＣＳ１６８からＬＤＡＰサーバ４０１にグループに属するユーザのユーザ情報の検索操作が要求（Ｓ７３０）される。これに応じて、ＬＤＡＰサーバからＵＣＳ１６８にグループに属するユーザのユーザ情報の検索結果が応答（Ｓ７４０）される。これに応じて、ＵＣＳ１６８からＳＣＳ１６９にグループ情報が提供（Ｓ７５０）される。これに応じて、ＳＣＳ１６９からスキャナアプリ１４３等にグループ選択終了通知が送信（Ｓ７６０）される。ＬＤＡＰサーバ４０１から検索されたユーザ情報のデータ構造は、図８と同様に、Ｓ７４０の処理とＳ７５０の処理の間に変換（Ｓ７４５）される。
【０１２３】
（変形例）
図１の融合機１０１は、本発明「情報処理装置」の実施例に該当して、図１の融合機１０１によって実行される情報処理は、本発明「情報処理方法」の実施例に該当する。当該情報処理をコンピュータに実行させるコンピュータプログラムは、本発明「情報処理プログラム」の実施例に該当し、当該情報処理をコンピュータに実行させるコンピュータプログラムが記録されたＣＤ−ＲＯＭは、本発明「記録媒体」の実施例に該当する。
【図面の簡単な説明】
【０１２４】
【図１】本発明の実施例に該当する融合機を表す。
【図２】図１の融合機に係るハードウェア構成図である。
【図３】図１の融合機に係る外観図である。
【図４】オペレーションパネルを表す。
【図５】アドレス帳を表す。
【図６】ユーザ情報のデータ構造を表す。
【図７】ユーザ情報の取得処理について説明するためのシステム構成図である。
【図８】ユーザ情報の取得処理について説明するためのシーケンス図である。
【図９】サーバ情報の登録／変更操作について説明するための画面遷移図である。
【図１０】ユーザ情報の取得処理について説明するための画面遷移図である。
【図１１】ＬＤＡＰサーバから取得されたユーザ情報を表す。
【図１２】図１０の画面遷移図に続く画面遷移図である。
【図１３】図１の融合機に係るシステム構成図である。
【図１４】図１の融合機のＳＣＳとＵＣＳに係る機能ブロック図である。
【図１５】認証設定画面に係る画面遷移図である。
【図１６】利用制限設定画面に係る画面遷移図である。
【図１７】グループ設定画面に係る画面遷移図である。
【図１８】複製操作について説明するための画面図である。
【図１９】削除操作について説明するための画面図である。
【図２０】参照操作について説明するための画面図である。
【図２１】図２０の利用制限設定画面の表示処理に係るシーケンス図である。
【図２２】グループ設定画面に係る画面図である。
【図２３】追加操作に係る画面遷移図である。
【図２４】関連操作に係る画面遷移図である。
【図２５】削除操作に係る画面遷移図である。
【図２６】移動操作に係る画面遷移図である。
【図２７】図２２のグループ設定画面で設定されたグループの階層構造を表す。
【図２８】図２２のグループ設定画面で設定されたグループに係るＸＭＬデータを表す。
【図２９】条件生成処理に係るフローチャート図である。
【図３０】併合操作と分割操作について説明するための図である。
【図３１】認証処理と利用制限処理に係るシーケンス図である。
【図３２】利用制限情報の作成処理に係るフローチャート図である。
【図３３】グループを宛先として使用する処理に係るシーケンス図である。
【図３４】本発明の実施例に該当する情報処理装置を表す。
【符号の説明】
【０１２５】
１１  情報処理装置
２１  ハードウェア
２２  ソフトウェア
２３  起動部
３１  アプリケーション
３２  プラットフォーム
１０１  融合機
１１１  ハードウェア
１１２  ソフトウェア
１１３  融合機起動部
１２１  撮像部
１２２  印刷部
１２３  その他のハードウェア
１３１  アプリケーション
１３２  プラットフォーム
１３３  アプリケーションプログラムインタフェース
１３４  エンジンインタフェース
１４１  コピーアプリ
１４２  プリンタアプリ
１４３  スキャナアプリ
１４４  ファクシミリアプリ
１４５  ネットワークファイルアプリ
１５１  コントロールサービス
１５２  システムリソースマネージャ
１５３  ハンドラ
１６１  ネットワークコントロールサービス
１６２  ファクシミリコントロールサービス
１６３  デリバリコントロールサービス
１６４  エンジンコントロールサービス
１６５  メモリコントロールサービス
１６６  オペレーションパネルコントロールサービス
１６７  サーティフィケーションコントロールサービス
１６８  ユーザディレクトリコントロールサービス
１６９  システムコントロールサービス
１７１  ファクシミリコントロールユニットハンドラ
１７２  イメージメモリハンドラ
２０１  コントローラ
２０２  オペレーションパネル
２０３  ファクシミリコントロールユニット
２１１  ＣＰＵ
２１２  ＡＳＩＣ
２２１  ＮＢ
２２２  ＳＢ
２３１  ＭＥＭ−Ｐ
２３２  ＭＥＭ−Ｃ
２３３  ＨＤＤ
２３４  メモリカードスロット
２３５  メモリカード
２４１  ＮＩＣ
２４２  ＵＳＢデバイス
２４３  ＩＥＥＥ１３９４デバイス
２４４  セントロニクスデバイス
３０１  原稿セット部
３０２  給紙部
３０３  排紙部
３１１  タッチパネル
３１２  テンキー
３１３  スタートボタン
３１４  リセットボタン
３１５  初期設定ボタン
３２１  ＡＤＦ
３２２  フラットベッド
３２３  フラットベッドカバー
４０１  ＬＤＡＰサーバ
４１１  ネットワーク
４２１  スキャナ操作画面
４２２  ファクシミリ操作画面
５０１  初期設定画面
５０２  システム初期設定画面
５０３  ＬＤＡＰサーバ登録／変更画面
５１１  システム初期設定ボタン
５１２  ＬＤＡＰサーバ登録／変更ボタン
５１３  設定ボタン
６０１  ルーペボタン
６０２  ＬＤＡＰ検索ボタン
６１１  ＬＤＡＰサーバ選択ボタン
６１２  ＬＤＡＰ検索条件入力ボタン
６２１  ＯＫボタン
６２２  ＯＫボタン
６３１  詳細ボタン
６３２  詳細閉じるボタン
７０１  認証設定制御部
７０２  利用制限設定制御部
７０３  グループ設定制御部
７１１  ＡＰＩ層
７１２  ＤＢ層
７１３  ＩＯ層
８０１  認証設定画面
８０２  利用制限設定画面
８０３  グループ設定画面
８１１  ボタン
８１２  ボタン
８１３  ボタン
８１４  ボタン
８１５  ボタン
８２１  ボタン
８２２  ボタン
８３１  ボタン
８３２  ボタン
８３３  ボタン
８４１  ボタン
８４２  ボタン
８４３  ボタン
８４４  ボタン
８５１  ボタン
８５２  ボタン
８６１  階層ボタン
８６２  グループボタン
【図１】
2005266946.tif 000003
【図２】
2005266946.tif 000004
【図３】
2005266946.tif 000005
【図４】
2005266946.tif 000006
【図５】
2005266946.tif 000007
【図６】
2005266946.tif 000008
【図７】
2005266946.tif 000009
【図８】
2005266946.tif 000010
【図９】
2005266946.tif 000011
【図１０】
2005266946.tif 000012
【図１１】
2005266946.tif 000013
【図１２】
2005266946.tif 000014
【図１３】
2005266946.tif 000015
【図１４】
2005266946.tif 000016
【図１５】
2005266946.tif 000017
【図１６】
2005266946.tif 000018
【図１７】
2005266946.tif 000019
【図１８】
2005266946.tif 000020
【図１９】
2005266946.tif 000021
【図２０】
2005266946.tif 000022
【図２１】
2005266946.tif 000023
【図２２】
2005266946.tif 000024
【図２３】
2005266946.tif 000025
【図２４】
2005266946.tif 000026
【図２５】
2005266946.tif 000027
【図２６】
2005266946.tif 000028
【図２７】
2005266946.tif 000029
【図２８】
2005266946.tif 000030
【図２９】
2005266946.tif 000031
【図３０】
2005266946.tif 000032
【図３１】
2005266946.tif 000033
【図３２】
2005266946.tif 000034
【図３３】
2005266946.tif 000035
【図３４】
2005266946.tif 000036